(57)【要約】【課題】カメラの電池室内に空気を供給させることができるようにする。【解決手段】カメラ１の筺体２の正面中央には、鏡筒３が配設されている。筺体２の内部の、図中、左側端部には、燃料電池６を収納する電池室７が配設され、電池室７には、筺体２の外部に連通する空気孔２ｃが設けられている。重り８ｊが接着された移動部材８ｂは自重により、カメラ１の姿勢の変化に伴って、上下に移動する。空気孔２ａ、弁８ｅ、空間８ｌ、弁８ｇの経路で、外気が電池室７ａに供給される。本発明は、燃料電池を電源に使用するカメラに適用することができる。【選択図】      図１
2004212832.tif 000002
【特許請求の範囲】
【請求項１】
燃料電池を電源に使用する電子機器において、
前記燃料電池を収納する電池室と、
前記電池室の空間を筺体の外部に連通する少なくとも１つの第１の空気孔と、
前記筺体の外部に連通する少なくとも１つの第２の空気孔と、
前記第１の空気孔と前記第２の空気孔の間を流れる空気の通路上に配置され、前記第１の空気孔と前記第２の空気孔のうちの一方から空気を吸引し、かつ吸引した空気を他方に排気する吸排気機構と、
前記吸排気機構に設けられたポンプ室と、
前記ポンプ室の壁面と略密閉空間を構成し、前記電子機器の姿勢を変化させたとき、自重により移動して、前記略密閉空間の容積を変化させる移動部材と
を備えることを特徴とする電子機器。
【請求項２】
前記ポンプ室は、
前記電池室の空間と連通する第１の開口と、
前記第２の空気孔と連通する第２の開口と
を備え、
前記移動部材により、前記第１の開口および前記第２の開口と連通する第１の空間と、少なくとも１つの第３の空気孔を有する第２の空間の、少なくとも２つの空間に分割される
ことを特徴とする請求項１に記載の電子機器。
【請求項３】
前記吸排気機構は、前記第１の開口および前記第２の開口の一方と他方に対応する位置に、空気の吸引のみを許容する吸気弁と、空気の排気のみを許容する排気弁と
を備えることを特徴とする請求項２に記載の電子機器。
【請求項４】
前記電池室は、
前記燃料電池を装填するための開口部と、
前記開口部を覆う第１の位置と、開口部を露出させる第２の位置で移動可能な電池蓋と
を備えることを特徴とする請求項１に記載の電子機器。
【請求項５】
前記電池蓋は、前記第１の空気孔
を備えることを特徴とする請求項４に記載の電子機器。
【請求項６】
前記移動部材は、前記電子機器を正立させた状態において、自重により鉛直方向に移動可能な質量を有する
ことを特徴とする請求項１に記載の電子機器。
【請求項７】
前記移動部材は、前記電子機器を正立させた状態において、自重により鉛直方向に移動可能な質量を有する重り
を備えることを特徴とする請求項１に記載の電子機器。
【請求項８】
前記ポンプ室は、
前記電池室の空間と連通する第１の開口および第２の開口と、
前記第２の空気孔と連通する第３の開口および第４の開口と
を備え、
前記移動部材により、前記第１の開口および前記第３の開口と連通する第１の空間と、
前記第２の開口および前記第４の開口と連通する第２の空間の、少なくとも２つの空間に分割され、
前記吸排気機構は、前記第１の開口乃至前記第４の開口に対応する位置に、前記移動部材の移動に伴って、前記第１の空間と前記第２の空間の容積が変化するとき、容積が小さくなる方の空間の空気を、前記電池室の空間と前記第２の空気孔のうちの一方に排気し、他方からの空気を容積が大きくなるほうの空間に吸気する第１乃至第４の弁を備える
ことを特徴とする請求項１に記載の電子機器。
【請求項９】
前記ポンプ室は、
前記電池室と連通する第１の開口と、
前記第２の空気孔と連通する第２の開口と
を備え、
前記移動部材により、第１の開口と連通する第１の空間と、前記第２の開口と連通する第２の空間の、少なくとも２つの空間に分割され、
前記吸排気機構は、
前記移動部材に第３の開口と、
前記第２の開口および前記第３の開口に対応する位置に、前記移動部材の移動に伴って、前記第１の空間と前記第２の空間の容積が変化するとき、容積が小さくなる方の空間の空気を、前記電池室の空間と前記第２の空気孔のうちの一方に排気し、他方からの空気を容積が大きくなるほうの空間に吸気する第１の弁と第２の弁と
を備えることを特徴とする請求項１に記載の電子機器。
【発明の詳細な説明】
【０００１】
【発明の属する技術分野】
本発明は、電子機器に関し、特に、燃料電池を収容する電池室に、空気を、確実に、供給することができるようにした電子機器に関する。
【０００２】
【背景技術】
従来、カメラの電源としては、リチウム電池やアルカリマンガン電池が使用されていた。ところが、近年、燃料電池の小型化が進み、カメラの電源として、燃料電池を使用することが考えられている。
【０００３】
【発明が解決しようとする課題】
しかしながら、燃料電池は、発電に酸素を必要とするが、燃料電池を電池室内に単に収容しただけの状態にしておくと、十分な酸素を得ることできないため、燃料電池が充分な電力を供給することが困難になる恐れがある。
【０００４】
本発明はこのような状況に鑑みてなされたものであり、電池室内に空気を簡単、かつ、確実に、供給することができるようにすることを目的とする。
【０００５】
【課題を解決するための手段】
本発明の電子機器は、燃料電池を収納する電池室と、電池室の空間を筺体の外部に連通する少なくとも１つの第１の空気孔と、筺体の外部に連通する少なくとも１つの第２の空気孔と、第１の空気孔と第２の空気孔の間を流れる空気の通路上に配置され、第１の空気孔と第２の空気孔のうちの一方から空気を吸引し、かつ吸引した空気を他方に排気する吸排気機構と、吸排気機構に設けられたポンプ室と、ポンプ室の壁面と略密閉空間を構成し、電子機器の姿勢を変化させたとき、自重により移動して、略密閉空間の容積を変化させる移動部材とを備えることを特徴とする。
【０００６】
ポンプ室は、電池室の空間と連通する第１の開口と、第２の空気孔と連通する第２の開口とを備え、移動部材により、第１の開口および第２の開口と連通する第１の空間と、少なくとも１つの第３の空気孔を有する第２の空間の、少なくとも２つの空間に分割されるようにさせることができる。
【０００７】
吸排気機構は、第１の開口および第２の開口の一方と他方に対応する位置に、空気の吸引のみを許容する吸気弁と、空気の排気のみを許容する排気弁とを備えることができる。
【０００８】
電池室は、燃料電池を装填するための開口部と、開口部を覆う第１の位置と、開口部を露出させる第２の位置で移動可能な電池蓋とを備えることができる。
【０００９】
電池蓋は、第１の空気孔を備えることができる。
【００１０】
移動部材は、電子機器を正立させた状態において、自重により鉛直方向に移動可能な質量を有するようにさせることができる。
【００１１】
移動部材は、電子機器を正立させた状態において、自重により鉛直方向に移動可能な質量を有する重りを備えることができる。
【００１２】
ポンプ室は、電池室の空間と連通する第１の開口および第２の開口と、第２の空気孔と連通する第３の開口および第４の開口とを備え、移動部材により、第１の開口および第３の開口と連通する第１の空間と、第２の開口および第４の開口と連通する第２の空間の、少なくとも２つの空間に分割され、吸排気機構は、第１の開口乃至第４の開口に対応する位置に、移動部材の移動に伴って、第１の空間と第２の空間の容積が変化するとき、容積が小さくなる方の空間の空気を、電池室の空間と第２の空気孔のうちの一方に排気し、他方からの空気を容積が大きくなるほうの空間に吸気する第１乃至第４の弁を備えることができる。
【００１３】
ポンプ室は、電池室と連通する第１の開口と、第２の空気孔と連通する第２の開口とを備え、移動部材により、第１の開口と連通する第１の空間と、第２の開口と連通する第２の空間の、少なくとも２つの空間に分割され、吸排気機構は、移動部材に第３の開口と、第２の開口および第３の開口に対応する位置に、移動部材の移動に伴って、第１の空間と第２の空間の容積が変化するとき、容積が小さくなる方の空間の空気を、電池室の空間と第２の空気孔のうちの一方に排気し、他方からの空気を容積が大きくなるほうの空間に吸気する第１の弁と第２の弁とを備えることができる。
【００１４】
本発明においては、吸排気機構に、自重により移動する移動部材が設けられ、電子機器の姿勢が変化された場合、略密閉空間の容積を変化させることで、電池室内に空気が供給される。
【００１５】
【発明の実施の形態】
図１に示されるように、カメラ１の筺体（ケース）２の正面中央には、鏡筒３が配設されている。鏡筒３の図中、左上部には、ファインダ４が配設されており、鏡筒３の図中、右上部には、ストロボ５が配設されている。筺体２の内部の、図中、左側端部には（鏡筒３を基準としてストロボ５と反対側には）、燃料電池６を収納する電池室７が配設され、電池室７には、筺体２の外部に連通する空気孔２ｃが設けられている。また、電池室７には、燃料電池６を装填するための開口部１０ａと、開口部１０ａを覆う第１の位置と、図中、右端を支点として左端が９０度下方向に回動して、開口部１０ａを露出させる第２の位置との間で移動可能な電池蓋１０が設けられている。さらに、吸排気機構８が、筺体２の外部に連通する、電池室７の上部に設けられた空気孔２ａと、空気孔２ｃとの間を流れる空気の通路（空気孔２ａ、空気管２ｂ、電池室７、空気孔２ｃに至る通路）上で、電池室７と鏡筒３の間に配設されている。
【００１６】
吸排気機構８には、ポンプ室８ａが設けられている。ポンプ室８ａの内部には、カメラ１を、図１に示されるように、横長の状態（正立した状態）にして使用する場合において、図中、縦方向（鉛直方向）に、ガイド棒８ｈが設けられている。このポンプ室８ａには、その壁面８ｎと略密閉空間を形成し、カメラ１の姿勢を変化させたとき、ガイド棒８ｈによってガイドされつつ、自重により移動して、略密閉空間の容積を変化させる移動部材８ｂが設けられている。また、移動部材８ｂには、移動しやすいように、金属など、質量が充分大きい材料よりなる重り８ｊが接着されている。
【００１７】
ポンプ室８ａには、電池室７の空間と連通する開口８ｆと、空気孔２ａと連通する開口８ｄが設けられ、ポンプ室８ａの底面には、空気孔８ｋが設けられている。ポンプ室８ａは、重り８ｊを有する移動部材８ｂによって、開口８ｄと開口８ｆと連通する空間８ｌと、空気孔８ｋと連通する空間８ｍに分割される。
【００１８】
また、開口８ｆに対応する位置には、ポンプ室８ａからの空気の排気のみを許容する弁８ｇが、開口８ｄに対応する位置には、ポンプ室８ａへの空気の吸気のみを許容する弁８ｅが、それぞれ備えられている。
【００１９】
吸排気機構８を用いて、電池室７内に空気を供給する原理を、図２と図３を参照して説明する。
【００２０】
図２に示されるように、カメラ１の姿勢が変化して、重り８ｊが接着された移動部材８ｂが、自重により、矢印Ａ方向（図中、下方向）に移動すると、移動部材８ｂの上部の空間８ｌの容積が増えるので、空間８ｌの気圧が低下し、筺体２の外部の空気が筺体２の内部に吸気され、空気孔２ａから空気管２ｂを通り、弁８ｅを、図２において右方向に開放し、開口８ｄから空間８ｌに吸気される。それと同時に、移動部材８ｂの下部の空間８ｍの容積が減るので、空間８ｍの空気は、空気孔８ｋを通り、ポンプ室８ａの外部（筺体２の内部）に排気される。また、このとき、電池室７内の気圧の方が、ポンプ室８ａの空間８ｌより高いので、弁８ｇは、閉じられた状態のままとなる。
【００２１】
これに対して、図３に示されるように、カメラ１の姿勢が変化して（例えば倒立状態となり）、重り８ｊが接着された移動部材８ｂが、自重により、矢印Ｂ方向に移動すると（説明の便宜上、図３は、使用状態と上下が逆に示されている）、空間８ｌの容積が減る。その結果、空間８ｌ内の気圧が上昇し、吸気弁８ｅは、図中、左方向に押圧されるので閉じ、弁８ｇは、図中、左方向に押圧されるので開放され、空間８ｌの空気が、開口８ｆから電池室７内に排気される。それと同時に、空間８ｍの容積が増えるので、空気孔８ｋから、空間８ｍに、ポンプ室８ａの外部（筺体２の内部）の空気が吸気される。
【００２２】
さらに、電池室７内に排気された吸排気機構８からの空気は、燃料電池６の発電に使用される。電池室７の容積は一定であるため、燃料電池６から排出された水分を含む空気は、空気孔２ｃから、筺体２の外部に排出される。
【００２３】
なお、図４に示されるように、開口８ｄに対応する位置に空気の排気のみを許容する弁８ｇを設け、開口８ｆに対応する位置に空気の吸気のみを許可する弁８ｅを設けてもよい。
【００２４】
この場合、上述のように、カメラ１の姿勢が変化して、重り８ｊが接着された移動部材８ｂが、自重により、矢印Ａ方向（図中、下方向）に移動すると、空間８ｌの容積が増えるので、空間８ｌの気圧が低下し、空間８ｌの気圧の方が電池室７内の気圧より低くなるので、弁８ｅが、図４において右方向に開放され、電池室７内の空気（燃料電池６から排出された水分を含む空気）が、空間８ｌに吸気される。それと同時に、燃料電池室７内の気圧が低下し、筺体２の外部の空気が、空気孔２ｃから、電池室７に吸気される。電池室７に吸気された空気は、燃料電池６の発電に使用される。さらに、移動部材８ｂの移動に伴って、空間８ｍの容積が減るので、空間８ｍの空気は空気孔８ｋを通り、ポンプ室８ａの外部（筺体２の内部）に排気される。また、このとき、空気管２ｂ内の気圧（外気）の方が、空間８ｌの気圧より高いので、弁８ｇは閉じられたままの状態となる。
【００２５】
これに対して、カメラ１の姿勢が変化して（例えば、倒立状態となり）、重り８ｊが接着された移動部材８ｂが、自重により、矢印Ｂ方向に移動すると、空間８ｌの容積が減る。その結果、空間８ｌの気圧が上昇し、弁８ｅは、図中、左方向に押圧されるので閉じ、弁８ｇは、図中、左方向に押圧されるので、開放され、空間８ｌの空気（燃料電池６から排出された水分を含む空気）が、開口８ｄから空気管２ｂを通り、空気孔２ａから筺体２の外部に排出される。それと同時に、空間８ｍの容積が増えるので、空気孔８ｋから、空間８ｍに、ポンプ室８ａの外部（筺体２の内部）の空気が吸気される。
【００２６】
また、図５に示されるように、図１の空気孔２ｃの代わりに、電池蓋１０に空気孔１０ｂを設けてもよい。
【００２７】
さらに、図６に示されるように、図１の空気孔２ｃの代わりに、新たに空気孔を設けず、電池蓋１０と筺体２の合わせ部１０ｃに充分な広さの空気の流通孔を形成するようにしても良い。
【００２８】
図７に、本発明を用いた他の実施の形態を示す。図１に示す部分に対応する部分には同一の符号を付してあり、その説明は適宜省略する。ポンプ室８ａには、底面に、空気孔２ａと連通する開口１３ｄと、電池室７の空間と連通する開口１３ｆが設けられている。ポンプ室８ａは、重り８ｊを有する移動部材８ｂによって、開口８ｄおよび開口８ｆと連通する空間１３ｌと、開口１３ｄおよび開口１３ｆと連通する空間１３ｍに分割される。
【００２９】
また、開口８ｄと開口８ｆと同様に、開口１３ｄに対応する位置には、ポンプ室８ａへの空気の吸気のみを許容する弁１３ｅが、開口１３ｆに対応する位置には、ポンプ室８ａからの空気の排気のみを許容する弁１３ｇがそれぞれ備えられている。
【００３０】
即ち、カメラ１の姿勢が変化して、移動部材８ｂが、自重により、矢印Ａ方向（図中、下方向）に移動すると、移動部材８ｂの上方の空間１３ｌの容積が増えるので、空間１３ｌの気圧が低下し、筺体２の外部の空気が、筺体２の内部に吸気され、空気孔２ａから空気管２ｂを通り、弁８ｅを、図７において右方向に開放し、開口８ｄから空間１３ｌに吸気される。それと同時に、空間１３ｍの容積が減る。その結果、空間１３ｍの気圧が上昇し、弁１３ｅは、図中、右方向に押圧されるので閉じ、弁１３ｇは、図中、左方向に押圧されるので開放され、空間１３ｍの空気が、開口１３ｆから電池室７内に排気される。また、このとき、電池室７内の気圧の方がポンプ室８ａの空間８ｌの気圧より高いので、弁８ｇは、閉じられたままの状態となる。
【００３１】
これに対して、カメラ１の姿勢が変化して（例えば、倒立状態となり）、移動部材８ｂが、自重により、矢印Ｂ方向に移動すると、空間１３ｌの容積が減る。その結果、空間１３ｌの気圧が上昇し、弁８ｅは、図中、左方向に押圧されるので閉じ、弁８ｇは、図中、左方向に押圧されるので開放され、空間１３ｌの空気が、開口８ｆから電池室７内に排気される。それと同時に、空間１３ｍの容積が増えるので、空間１３ｍの気圧が低下し、筺体２の外部の空気が筺体２の内部に吸気され、空気孔２ａから空気管２ｂを通り、弁１３ｅを、図７において左方向に開放し、開口１３ｄから空間１３ｍに吸気される。また、このとき、弁１３ｇは、電池室７内の気圧の方が、空間１３ｍより高いので、閉じられたままの状態となる。
【００３２】
いずれの場合にも、電池室７内に排気された吸排気機構８からの空気は、燃料電池６の発電に使用される。電池室７の容積は一定であるため、燃料電池６から排出された水分を含む空気は、空気孔２ｃから筺体２の外部に排出される。
【００３３】
図８に、本発明を用いた他の実施例の形態を示す。図１に示す部分に対応する部分には同一の符号を付してあり、その説明は適宜省略する。空気孔２ａは、図中、電池室７の右側で、電池室７と鏡筒３の間の筺体２の底面に設けられている。移動部材８ｂには、開口１４ｂが設けられている。ポンプ室８ａは、移動部材８ｂによって、開口８ｆと連通する空間１４ｌと、開口８ｄと連通する空間１４ｍに分割される。さらに、開口１４ｂに対応する位置には、空間１４ｍの空気の空間１４ｌへの排気のみを許容する弁１４ａが備えられている。
【００３４】
この吸排気機構８を用いて、電池室７内に空気を供給する原理を、図９と図１０を参照して説明する。
【００３５】
図９に示されるように、カメラ１の姿勢が変化して、重り８ｊが接着された移動部材８ｂが、自重により、矢印Ａ方向（図中、下方向）に移動すると、空間１４ｍの容積が減る。その結果、空間１４ｍの気圧が上昇し、弁８ｅは、図中、右方向に押圧されるので閉じ、弁１４ａは、図中、上方向に押圧されるので開放され、空間１４ｍの空気が、開口１４ｂから空間１４ｌに排気され、電池室７に排気される。それと同時に、空間１４ｌの容積が増加するが、空間１４ｍから、容積が増加した分の空気が排気されるため、空間１４ｌの気圧はもとの状態のままとなり、空気孔２ｃから筺体２の外部の空気は吸気されず、電池室７内の空気も、空気孔２ｃから筺体２の外部へ排出されない。また、吸排気機構８から電池室７に排気された空気は、燃料電池６の発電に使用される。
【００３６】
これに対して、図１０に示されるように、カメラ１の姿勢が変化して（例えば、倒立状態となり）、移動部材８ｂが、自重により、矢印Ｂ方向に移動すると（説明の便宜上、図１０は、使用状態と上下が逆に示されている）、空間１４ｌの容積が減る。その結果、ポンプ室８ａの空間１４ｌと電池室７内の気圧が高くなり、電池室７内の空気（燃料電池６から排出された水分を含んだ空気）が、空気孔２ｃから、筺体２の外部に排出される。それと同時に、空間１４ｍの容積が増えるので、空間１４ｍの気圧が低下し、筺体２の外部の空気が筺体２の内部に吸気され、空気孔２ａから空気管２ｂを通り、弁８ｅを、図１０において左方向に開放し、開口８ｄから空間１４ｍに吸気される。
【００３７】
なお、図５乃至図８において、空気の排気のみを許容する弁を吸気のみを許容する弁、空気の吸気のみを許容する弁を排気のみを許容する弁としてもよい。
【００３８】
また、本明細書中ではカメラとしたが、他の携帯用の電子機器にも本発明は適用できる。
【００３９】
【発明の効果】
以上のように、本発明によれば、電池室内に空気を供給することができる。また、その供給を簡単、かつ確実に行うことが可能となる。
【図面の簡単な説明】
【図１】本発明を適用したカメラの構成を示す断面図である。
【図２】図１のポンプ室の構成を示す断面図である。
【図３】図１のポンプ室の構成を示す断面図である。
【図４】本発明を適用したカメラの構成を示す断面図である。
【図５】本発明を適用したカメラの構成を示す断面図である。
【図６】本発明を適用したカメラの構成を示す断面図である。
【図７】本発明を適用したカメラの構成を示す断面図である。
【図８】本発明を適用したカメラの構成を示す断面図である。
【図９】図８のポンプ室の構成を示す断面図である。
【図１０】図８のポンプ室の構成を示す断面図である。
【符号の説明】
１  カメラ
２  筺体
２ａ  空気孔
２ｂ  空気管
２ｃ  空気孔
３  鏡筒
４  ファインダ
５  ストロボ
６  燃料電池
７  電池室
８  吸排気機構
８ａ  ポンプ室
８ｂ  移動部材
８ｄ  開口
８ｅ  弁
８ｆ  開口
８ｇ  弁
８ｈ  ガイド棒
８ｊ  重り
８ｋ  空気孔
８ｌ，８ｍ  空間
８ｎ  壁面
１０  電池蓋
１０ａ  開口
１０ｂ  空気孔
１０ｃ  合わせ部
１３ｄ  開口
１３ｅ  弁
１３ｆ  開口
１３ｇ  弁
１３ｌ，１３ｍ  空間
１４ａ  弁
１４ｂ  開口
１４ｌ，１４ｍ  空間
【図１】
2004212832.tif 000003
【図２】
2004212832.tif 000004
【図３】
2004212832.tif 000005
【図４】
2004212832.tif 000006
【図５】
2004212832.tif 000007
【図６】
2004212832.tif 000008
【図７】
2004212832.tif 000009
【図８】
2004212832.tif 000010
【図９】
2004212832.tif 000011
【図１０】
2004212832.tif 000012